【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
ユーザ機器によって実行されるワイヤレス通信の方法であって、
ランダムアクセスチャネル(RACH)構成情報を受信するステップであって、
前記RACH構成情報が、第1のセットのキャリアおよび第2のセットのキャリアと関連付けられるしきい値を含み、
前記第1のセットのキャリアが、プライマリアップリンクキャリアであるアップリンクを含み、
前記第2のセットのキャリアが、補助アップリンクキャリアであるアップリンクを含む、受信するステップと、
前記RACH構成情報に少なくとも部分的に基づいて、前記第1のセットのキャリアまたは前記第2のセットのキャリアに関してRACH手順を選択的に実行するステップと
を備える方法。
【請求項２】
前記第1のセットのキャリアが、前記第2のセットのキャリアよりも高い周波数帯域に関連付けられる、請求項1に記載の方法。
【請求項３】
前記RACH構成情報が、前記ユーザ機器のシステム情報または無線リソース制御構成情報において受信される、請求項1に記載の方法。
【請求項４】
前記ユーザ機器が、前記第1のセットのキャリアおよび前記第2のセットのキャリアのうちの、前記ユーザ機器によってサポートされる最も低い周波数帯域に関連付けられた特定のセットのキャリアに関して、前記RACH手順を実行するように構成される、請求項1に記載の方法。
【請求項５】
前記RACH手順が、前記RACH構成情報のうちの、前記特定のセットのキャリアに関係する情報を使用して、前記特定のセットのキャリアに関して実行される、請求項4に記載の方法。
【請求項６】
前記ユーザ機器が、前記しきい値に少なくとも部分的に基づいて前記RACH手順を実行するのに使用するために、前記第1のセットのキャリアおよび前記第2のセットのキャリアのうちの特定のセットのキャリアを選択するように構成される、請求項1に記載の方法。
【請求項７】
前記しきい値が、前記第1のセットのキャリアと前記第2のセットのキャリアとの間で、前記RACH手順に関する負荷を分散するように構成される、請求項6に記載の方法。
【請求項８】
前記しきい値が、前記ユーザ機器に関連付けられた識別子を使用して実行されるハッシュ関数に少なくとも部分的に基づく、請求項6に記載の方法。
【請求項９】
前記ユーザ機器が、前記ユーザ機器によって受信され、前記第1のセットのキャリアおよび前記第2のセットのキャリアのうちの特定のセットのキャリアに関して前記RACH手順を実行することを示すフラグまたは値に少なくとも部分的に基づいて、前記特定のセットのキャリアに関して前記RACH手順を実行するように構成される、請求項1に記載の方法。
【請求項１０】
前記ユーザ機器のランダムアクセス無線ネットワーク一時識別子(RA-RNTI)が、前記第1のセットのキャリアおよび前記第2のセットのキャリアのうちの特定のセットのキャリアに少なくとも部分的に基づいて決定され、前記特定のセットのキャリアに関して前記RACH手順が実行される、請求項1に記載の方法。
【請求項１１】
前記RACH手順のランダムアクセス応答(RAR)のためのランダムアクセス無線ネットワーク一時識別子(RA-RNTI)が、前記第1のセットのキャリアおよび前記第2のセットのキャリアのうちの特定のセットのキャリアを識別し、前記特定のセットのキャリア上で前記RACH手順が実行される、請求項1に記載の方法。
【請求項１２】
前記RACH構成情報が、前記第1のセットのキャリアのダウンリンクキャリア上で受信される、請求項1に記載の方法。
【請求項１３】
ワイヤレス通信のためのユーザ機器(UE)であって、
メモリと、
前記メモリに動作可能に結合された1つまたは複数のプロセッサと
を備え、前記メモリおよび前記1つまたは複数のプロセッサが、
ランダムアクセスチャネル(RACH)構成情報を受信することであって、
前記RACH構成情報が、第1のセットのキャリアおよび第2のセットのキャリアと関連付けられるしきい値を含み、
前記第1のセットのキャリアが、プライマリアップリンクキャリアであるアップリンクを含み、
前記第2のセットのキャリアが、補助アップリンクキャリアであるアップリンクを含む、受信することと、
前記RACH構成情報に少なくとも部分的に基づいて、前記第1のセットのキャリアまたは前記第2のセットのキャリアに関してRACH手順を選択的に実行することと
を行うように構成される、ユーザ機器。
【請求項１４】
前記第1のセットのキャリアが、前記第2のセットのキャリアよりも高い周波数帯域に関連付けられる、請求項13に記載のユーザ機器。
【請求項１５】
前記RACH構成情報が、前記UEのシステム情報または無線リソース制御構成情報において受信される、請求項13に記載のユーザ機器。
【請求項１６】
前記UEが、前記第1のセットのキャリアおよび前記第2のセットのキャリアのうちの、前記UEによってサポートされる最も低い周波数帯域に関連付けられた特定のセットのキャリアに関して、前記RACH手順を実行するように構成される、請求項13に記載のユーザ機器。
【請求項１７】
前記RACH手順が、前記RACH構成情報のうちの、前記特定のセットのキャリアに関係する情報を使用して、前記特定のセットのキャリアに関して実行される、請求項16に記載のユーザ機器。
【請求項１８】
前記UEが、前記しきい値に少なくとも部分的に基づいて前記RACH手順を実行するのに使用するために、前記第1のセットのキャリアおよび前記第2のセットのキャリアのうちの特定のセットのキャリアを選択するように構成される、請求項13に記載のユーザ機器。
【請求項１９】
前記しきい値が、前記第1のセットのキャリアと前記第2のセットのキャリアとの間で、前記RACH手順に関する負荷を分散するように構成される、請求項18に記載のユーザ機器。
【請求項２０】
前記しきい値が、前記UEに関連付けられた識別子を使用して実行されるハッシュ関数に少なくとも部分的に基づく、請求項18に記載のユーザ機器。
【請求項２１】
前記UEが、前記UEによって受信され、前記第1のセットのキャリアおよび前記第2のセットのキャリアのうちの特定のセットのキャリアに関して前記RACH手順を実行することを示すフラグまたは値に少なくとも部分的に基づいて、前記特定のセットのキャリアに関して前記RACH手順を実行するように構成される、請求項13に記載のユーザ機器。
【請求項２２】
前記UEのランダムアクセス無線ネットワーク一時識別子(RA-RNTI)が、前記第1のセットのキャリアおよび前記第2のセットのキャリアのうちの特定のセットのキャリアに少なくとも部分的に基づいて決定され、前記特定のセットのキャリアに関して前記RACH手順が実行される、請求項13に記載のユーザ機器。
【請求項２３】
前記RACH手順のランダムアクセス応答(RAR)のためのランダムアクセス無線ネットワーク一時識別子(RA-RNTI)が、前記第1のセットのキャリアおよび前記第2のセットのキャリアのうちの特定のセットのキャリアを識別し、前記特定のセットのキャリア上で前記RACH手順が実行される、請求項13に記載のユーザ機器。
【請求項２４】
ワイヤレス通信のための1つまたは複数の命令を記憶する非一時的コンピュータ可読媒体であって、前記1つまたは複数の命令が、
ユーザ機器(UE)の1つまたは複数のプロセッサによって実行されると、前記1つまたは複数のプロセッサに、
ランダムアクセスチャネル(RACH)構成情報を受信することであって、
前記RACH構成情報が、第1のセットのキャリアおよび第2のセットのキャリアと関連付けられるしきい値を含み、
前記第1のセットのキャリアが、プライマリアップリンクキャリアであるアップリンクを含み、
前記第2のセットのキャリアが、補助アップリンクキャリアであるアップリンクを含む、受信することと、
前記RACH構成情報に少なくとも部分的に基づいて、前記第1のセットのキャリアまたは前記第2のセットのキャリアに関してRACH手順を選択的に実行することと
を行わせる1つまたは複数の命令を備える、非一時的コンピュータ可読媒体。
【請求項２５】
前記第1のセットのキャリアが、前記第2のセットのキャリアよりも高い周波数帯域に関連付けられる、請求項24に記載の非一時的コンピュータ可読媒体。
【請求項２６】
前記RACH構成情報が、前記第1のセットのキャリアのダウンリンクキャリア上で受信される、請求項13に記載のユーザ機器。
【請求項２７】
前記UEが、しきい値に少なくとも部分的に基づいて前記RACH手順を実行するのに使用するために、前記第1のセットのキャリアおよび前記第2のセットのキャリアのうちの特定のセットのキャリアを選択するように構成される、請求項24に記載の非一時的コンピュータ可読媒体。
【請求項２８】
前記しきい値が、前記第1のセットのキャリアと前記第2のセットのキャリアとの間で、前記RACH手順に関する負荷を分散するように構成される、請求項27に記載の非一時的コンピュータ可読媒体。
【請求項２９】
前記しきい値が、前記UEに関連付けられた識別子を使用して実行されるハッシュ関数に少なくとも部分的に基づく、請求項27に記載の非一時的コンピュータ可読媒体。
【請求項３０】
前記UEのランダムアクセス無線ネットワーク一時識別子(RA-RNTI)が、前記第1のセットのキャリアおよび前記第2のセットのキャリアのうちの特定のセットのキャリアに少なくとも部分的に基づいて決定され、前記特定のセットのキャリアに関して前記RACH手順が実行される、請求項24に記載の非一時的コンピュータ可読媒体。
【請求項３１】
前記RACH手順のランダムアクセス応答(RAR)のためのランダムアクセス無線ネットワーク一時識別子(RA-RNTI)が、前記第1のセットのキャリアおよび前記第2のセットのキャリアのうちの特定のセットのキャリアを識別し、前記特定のセットのキャリア上で前記RACH手順が実行される、請求項24に記載の非一時的コンピュータ可読媒体。
【請求項３２】
ワイヤレス通信のための装置であって、
ランダムアクセスチャネル(RACH)構成情報を受信するための手段であって、
前記RACH構成情報が、第1のセットのキャリアおよび第2のセットのキャリアと関連付けられるしきい値を含み、
前記第1のセットのキャリアが、プライマリアップリンクキャリアであるアップリンクを含み、
前記第2のセットのキャリアが、補助アップリンクキャリアであるアップリンクを含む、受信するための手段と、
前記RACH構成情報に少なくとも部分的に基づいて、前記第1のセットのキャリアまたは前記第2のセットのキャリアに関してRACH手順を選択的に実行するための手段と
を備える装置。
【請求項３３】
前記RACH構成情報が、前記第1のセットのキャリアのダウンリンクキャリア上で受信される、請求項24に記載の非一時的コンピュータ可読媒体。
【請求項３４】
前記RACH構成情報が、前記第2のセットのキャリアよりも高い周波数帯域に関連付けられる、請求項32に記載の装置。
【請求項３５】
前記装置が、しきい値に少なくとも部分的に基づいて前記RACH手順を実行するのに使用するために、前記第1のセットのキャリアおよび前記第2のセットのキャリアのうちの特定のセットのキャリアを選択するように構成される、請求項32に記載の装置。
【請求項３６】
前記しきい値が、前記第1のセットのキャリアと前記第2のセットのキャリアとの間で、前記RACH手順に関する負荷を分散するように構成される、請求項35に記載の装置。
【請求項３７】
前記しきい値が、前記装置に関連付けられた識別子を使用して実行されるハッシュ関数に少なくとも部分的に基づく、請求項35に記載の装置。
【請求項３８】
前記装置のランダムアクセス無線ネットワーク一時識別子(RA-RNTI)が、前記第1のセットのキャリアおよび前記第2のセットのキャリアのうちの特定のセットのキャリアに少なくとも部分的に基づいて決定され、前記特定のセットのキャリアに関して前記RACH手順が実行される、請求項32に記載の装置。
【請求項３９】
前記RACH手順のランダムアクセス応答(RAR)のためのランダムアクセス無線ネットワーク一時識別子(RA-RNTI)が、前記第1のセットのキャリアおよび前記第2のセットのキャリアのうちの特定のセットのキャリアを識別し、前記特定のセットのキャリア上で前記RACH手順が実行される、請求項32に記載の装置。
【請求項４０】
前記RACH構成情報が、前記第1のセットのキャリアのダウンリンクキャリア上で受信される、請求項32に記載の装置。